(57)【要約】      （修正有）【課題】放送番組に関連したＷｅｂコンテンツの取得をより効率的に行えるコンテンツ受信装置を提供する。【解決手段】選局チャンネルで放送される番組の放送コンテンツと番組に関連する関連コンテンツの取得先を指示したアクセス情報とを含んだ放送信号を受信する一又は複数の受信手段と、放送信号に含まれたアクセス情報に基づき、アクセス情報が指示する取得先から関連コンテンツを取得する取得手段と、取得した関連コンテンツを、対応する番組の番組識別情報と関連付けて記憶する記憶手段と、視聴対象の番組の番組識別情報に関連付けられた関連コンテンツを記憶手段から読み出し、受信された視聴対象の番組の放送信号に含まれる放送コンテンツとともに出力する出力手段と、放送信号を受信していない受信手段を用いて、受信手段に所定のチャンネルの放送信号を受信させ、放送中又は放送予定の各番組の関連コンテンツを取得させる取得制御手段と、を備える。【選択図】図１
2013085153.tif 000002
【特許請求の範囲】
【請求項１】
選局されたチャンネルで放送される番組の放送コンテンツと当該番組に関連する関連コンテンツの取得先を指示したアクセス情報とを含んだ放送信号を受信する一又は複数の受信手段と、
前記放送信号に含まれたアクセス情報に基づいて、当該アクセス情報が指示する取得先から関連コンテンツを取得する取得手段と、
前記取得手段が取得した関連コンテンツを、対応する番組の番組識別情報と関連付けて記憶する記憶手段と、
視聴対象の番組の番組識別情報に関連付けられた関連コンテンツを前記記憶手段から読み出し、前記受信手段で受信された前記視聴対象の番組の放送信号に含まれる放送コンテンツとともに出力する出力手段と、
前記放送信号を受信していない受信手段を用いて、当該受信手段に所定のチャンネルの放送信号を受信させ、放送中又は放送予定の各番組の関連コンテンツを前記取得手段に取得させる取得制御手段と、
を備えるコンテンツ受信装置。
【請求項２】
前記関連コンテンツの各々に優先度が設定され、
前記取得手段は、前記優先度に応じた順序で関連コンテンツを取得し、
前記出力手段は、前記優先度に応じた順序で関連コンテンツを出力する請求項１に記載のコンテンツ受信装置。
【請求項３】
前記関連コンテンツの各々に有効期限が設定され、
前記記憶手段に記憶された関連コンテンツのうち、前記有効期限を超過した関連コンテンツを前記記憶手段から消去する有効期限管理手段を更に備える請求項１又は２に記載のコンテンツ受信装置。
【請求項４】
前記記憶手段に記憶された視聴対象の番組の関連コンテンツを用いて、表示用の関連コンテンツ画像を生成する表示画像生成手段を更に備え、
前記出力手段は、前記放送コンテンツの画像上に、前記関連コンテンツ画像を合成した合成画像を出力する請求項１〜３の何れか一項に記載のコンテンツ受信装置。
【請求項５】
前記表示画像生成手段は、前記チャンネルの切り替え時において、切り替えの直前まで生成していた関連コンテンツ画像の画面構成を、切り替え前のチャンネルに対応する番組の番組識別情報と関連付けて保持し、当該番組のチャンネルが再び選局された場合に、この番組の番組識別情報に関連付けて保持した画面構成に基づいて、前記関連コンテンツ画像を生成する請求項４に記載のコンテンツ受信装置。
【請求項６】
前記コンテンツ受信装置は、前記受信手段を一つ備え、
前記取得制御手段は、前記受信手段が前記出力手段から出力されるチェンネルの放送信号を受信していないときに、受信可能なチャンネルの全て又は一部の放送信号を前記受信手段に受信させ、当該放送信号に含まれるアクセス情報に基づいて、前記取得手段に前記関連コンテンツを取得させる請求項１〜５の何れか一項に記載のコンテンツ受信装置。
【請求項７】
前記コンテンツ受信装置は、前記受信手段を複数備え、
前記取得制御手段は、前記出力手段から出力されるチェンネルの放送信号を受信する受信手段以外の他の受信手段に、当該チャンネル以外の他のチャンネルの放送信号を受信させ、当該放送信号に含まれるアクセス情報に基づいて、前記取得手段に前記関連コンテンツを取得させる請求項１〜５の何れか一項に記載のコンテンツ受信装置。
【請求項８】
前記取得制御手段は、電子番組表を含んだ放送信号を前記受信手段に受信させ、当該電子番組表を構成する各番組の番組情報に含まれるアクセス情報に基づいて、当該各番組の関連コンテンツを前記取得手段に取得させる請求項６又は７に記載のコンテンツ受信装置。
【請求項９】
選局されたチャンネルで放送される番組の放送コンテンツと当該番組に関連する関連コンテンツの取得先を指示したアクセス情報とを含んだ放送信号を受信する一又は複数の受信手段を備えたコンテンツ受信装置で実行されるコンテンツ受信方法であって、
取得手段が、前記放送信号に含まれたアクセス情報に基づいて、当該アクセス情報が指示する取得先から関連コンテンツを取得する取得工程と、
記憶制御手段が、前記取得手段が取得した関連コンテンツを、対応する番組の番組識別情報と関連付けて記憶手段に記憶する記憶制御工程と、
出力手段が、視聴対象の番組の番組識別情報に関連付けられた関連コンテンツを前記記憶手段から読み出し、前記受信手段で受信された前記視聴対象の番組の放送信号に含まれる放送コンテンツとともに出力する出力工程と、
取得制御手段が、前記放送信号を受信していない受信手段を用いて、当該受信手段に所定のチャンネルの放送信号を受信させ、放送中又は放送予定の各番組の関連コンテンツを前記取得手段に取得させる取得制御工程と、
を含むコンテンツ受信方法。
【発明の詳細な説明】
【技術分野】
【０００１】
本発明の実施形態は、コンテンツ受信装置及びコンテンツ受信方法に関するものである。
【背景技術】
【０００２】
近年、一般家庭においても、インターネット等の通信環境が充実してきている。同報性に優れた放送に対して、通信は個別の情報伝送に優れている。このような放送と通信の特性とを利用して、放送及び通信によって得られるコンテンツを融合させることで、番組に関連したコンテンツの提供を可能とするハイブリッドキャスト（Ｈｙｂｒｉｄｃａｓｔ：登録商標）等の配信方式が注目されている。
【０００３】
上記配信方式において、テレビジョン受像機等の表示端末は、放送信号に基づくコンテンツを取得するとともに、インターネット等の通信回線を介してサーバにアクセスし、通信によってコンテンツを取得する。そして、表示端末は、放送信号に基づくコンテンツ（以下、放送コンテンツという）と通信によって得たコンテンツ（以下、Ｗｅｂコンテンツという）とを合成して表示する。
【０００４】
ところで、上記配信方式では、サービス事業者やネットワークの状況によりＷｅｂコンテンツの取得に時間を要することがある。特にチャンネルの切り替え時には、一度に多くのＷｅｂコンテンツを取得することになるため、Ｗｅｂコンテンツの表示が遅くなる可能性がある。この問題に関し、従来、電源切断中やテレビ視聴中等の他のコンテンツの視聴中に、ストリーミングコンテンツを定期的に受信して蓄積する技術が開示されている。また、放送されるべき題材の予定された放送時間前に、この題材に関連する情報を受信する技術が開示されている。
【先行技術文献】
【特許文献】
【０００５】
【特許文献１】特開２００７−３２９９６１号公報
【特許文献２】特表２００４−５１７５３１号公報
【発明の概要】
【発明が解決しようとする課題】
【０００６】
しかしながら、従来技術では、放送コンテンツとＷｅｂコンテンツとの関係性について考慮されていないため、提供されるＷｅｂコンテンツを効率的に取得できない可能性があり、この点において改善の余地があった。
【０００７】
本発明は、上記に鑑みてなされたものであって、放送される番組に関連したＷｅｂコンテンツの取得をより効率的に行うことが可能なコンテンツ受信装置及びコンテンツ受信方法を提供することを目的とする。
【課題を解決するための手段】
【０００８】
実施の形態のコンテンツ受信装置は、一又は複数の受信手段と、取得手段と、記憶手段と、出力手段と、取得制御手段とを備える。受信手段は、選局されたチャンネルで放送される番組の放送コンテンツと当該番組に関連する関連コンテンツの取得先を指示したアクセス情報とを含んだ放送信号を受信する。取得手段は、放送信号に含まれたアクセス情報に基づいて、当該アクセス情報が指示する取得先から関連コンテンツを取得する。記憶手段は、取得手段が取得した関連コンテンツを、対応する番組の番組識別情報と関連付けて記憶する。出力手段は、視聴対象の番組の番組識別情報に関連付けられた関連コンテンツを記憶手段から読み出し、受信手段で受信された視聴対象の番組の放送信号に含まれる放送コンテンツとともに出力する。取得制御手段は、前記放送信号を受信していない受信装置を用いて、当該受信手段に所定のチャンネルの放送信号を受信させ、放送中又は放送予定の各番組の関連コンテンツを前記取得手段に取得させる。
【図面の簡単な説明】
【０００９】
【図１】図１は、第１の実施形態に係るコンテンツ受信装置を含むコンテンツ再生システムの構成を示す図。
【図２】図２は、Ｗｅｂコンテンツに付帯されたメタデータの一例を示す図。
【図３】図３は、優先度情報の一例を模式的に示す図。
【図４】図４は、第１の実施形態のコンテンツ取得制御部が実行する第１コンテンツ取得処理を説明するためのフローチャート。
【図５】図５は、第１の実施形態のコンテンツ取得制御部が実行する第２コンテンツ取得処理を説明するためのフローチャート。
【図６−１】図６−１は、表示部上に表示された合成画像の一例を示す図。
【図６−２】図６−２は、表示部上に表示された合成画像の一例を示す図。
【図７】図７は、第１の実施形態のＷｅｂブラウザ部が実行するＷｅｂコンテンツ画像生成処理の手順を説明するためのフローチャート。
【図８】図８は、Ｗｅｂコンテンツ画像生成処理の動作を説明するための図。
【図９】図９は、第２の実施形態に係るコンテンツ受信装置の構成を示す図。
【図１０】図１０は、第２の実施形態のコンテンツ取得制御部が実行する第３コンテンツ取得処理を説明するためのフローチャート。
【発明を実施するための形態】
【００１０】
以下に添付図面を参照して、この発明に係るコンテンツ受信装置及びコンテンツ受信方法の実施の形態を詳細に説明する。後述する実施の形態では、コンテンツ受信装置をテレビジョン装置等の受信装置に適用した例について説明する。
【００１１】
［第１の実施形態］
図１は、第１の実施形態に係るコンテンツ受信装置を含むコンテンツ再生システムの構成を示す図である。同図に示すように、コンテンツ再生システムは、放送局１０と、コンテンツ受信装置である受信装置２０とを有して構成される。なお、図１では、二つの放送局１０（放送局Ａ、Ｂ）を示しているが、コンテンツ再生システムに含まれる放送局１０の個数は、これに限らないものとする。
【００１２】
放送局１０は、テレビ局等の無線局であって、映像や音声情報によって構成された番組のコンテンツ（以下、放送コンテンツ１１という）を、電波塔３０を通じ放送信号として放送する。放送信号には、ＥＰＧ（Electronic  Program  Guide）等の電子番組表や、放送コンテンツ１１に関連したＷｅｂ配信用の関連コンテンツ（以下、Ｗｅｂコンテンツ１２という）の取得に係るコンテンツ取得用コンテンツが含まれる。例えば、電子番組表やコンテンツ取得用データは、放送信号に多重されるデータ放送の一部として伝送することができる。
【００１３】
本実施形態においては、コンテンツ取得用コンテンツは、Ｗｅｂコンテンツ１２の取得先となる後述するＷｅｂサーバ１３のアクセス先（例えば、ＩＰアドレスやＵＲＩ（Uniform  Resource  Identifier）等）を指示したアクセス情報を含んでいる。アクセス情報は、コンテンツ取得用コンテンツに含めて提供される形態に限らず、電子番組表を構成する放送中や放送予定の各番組の放送日時や番組内容を示した番組情報に含めて提供される形態としてもよい。この場合、同一の番組について提供される、コンテンツ取得用コンテンツ内のアクセス情報と、番組情報内のアクセス情報とは同一とは限らず、異なるアクセス先が指示されていてもよい。なお、本実施形態では、電子番組表を構成する各番組情報に、当該番組用のアクセス情報が含まれているものとする。
【００１４】
また、放送局１０は、放送コンテンツ１１に関連したＷｅｂコンテンツ１２を提供するためのＷｅｂサーバ１３を有している。Ｗｅｂサーバ１３は、ＣＰＵ（Central  Processing  Unit）、ＲＯＭ（Read  Only  Memory）、ＲＡＭ（Random  Access  Memory）等のコンピュータ構成を有したサーバ装置であって、図示しない記憶装置に記憶されたＷｅｂコンテンツ１２を、受信装置２０からのアクセスに応じて提供する。
【００１５】
ここで、Ｗｅｂコンテンツ１２は、例えば、ＪａｖａＳｃｒｉｐｔ（登録商標）やＨＴＭＬ等のフォームを規定するコンテンツと、映像や音声、画像等の出力対象となるコンテンツとによって構成される。また、Ｗｅｂコンテンツ１２の各々には、そのＷｅｂコンテンツ１２の閲覧を許可する有効期限（日時情報）がメタデータ等の形態で付帯されている。
【００１６】
図２は、Ｗｅｂコンテンツ１２に付帯されたメタデータの一例を示す図である。同図に示すメタデータはスクリプトとして記述されており、このＷｅｂコンテンツ１２を受信した受信装置２０にて実行される。具体的に、２１行目の「＜ｂｏｄｙ  ｏｎｌｏａｄ＝“Ｔｉｍｅ（）”＞」は、自己のＷｅｂコンテンツ１２を開いた際に７行目から１７行目に記述した関数Ｔｉｍｅ（）を実行することを規定している。
【００１７】
関数Ｔｉｍｅ（）では、以下の振る舞いを規定している。まず、１０行目の関数Ｄａｔｅ（）で、現在日時を取得し、１１行目の関数Ｄａｔｅ（）で、有効期限を２０１１年１０月５日０時０分とする。続く、１３行目の関数ｉｆ（）で、現在日時と有効期限とを比較し、現在日時が有効期限を超えた場合に、１４行目のｄｏｃｕｍｅｎｔ．ｌｏｃａｔｉｏｎから、新たなＷｅｂコンテンツ１２を取得する。そして、１６行目の関数ｗｉｎｄｏｗ．ｓｅｔＴｉｍｅｏｕｔ（）で、１０００ミリ秒待って、関数Ｔｉｍｅ（）を再実行することを規定している。
【００１８】
なお、Ｗｅｂコンテンツ１２に付帯されるメタデータは、図２の例に限らず、例えば新たなＷｅｂコンテンツ１２の取得先が存在しないものであってもよい。また、Ｗｅｂコンテンツ１２に対する有効期限の付帯方法は、図２の例に限らず、単に有効期限が記述されている形態としてもよい。
【００１９】
図１に戻り、Ｗｅｂサーバ１３は、自局の放送局１０から放送される番組毎に、当該番組に関連するＷｅｂコンテンツ１２の各々と、当該Ｗｅｂコンテンツ１２の提供に係る優先度とを関連付けた優先度情報１４を、図示しない記憶装置に記憶・管理している。
【００２０】
図３は、優先度情報１４の一例を模式的に示す図である。同図に示すように、優先度情報１４には、一の番組に係る各Ｗｅｂコンテンツ１２の識別子（コンテンツ識別子）と、当該Ｗｅｂコンテンツ１２の優先度とが関連付けられている。ここで、各Ｗｅｂコンテンツ１２の優先度は、例えば、優先的に閲覧させたいＷｅｂコンテンツ１２の順序や、Ｗｅｂコンテンツ１２の種別（静止画や動画等）、Ｗｅｂコンテンツ１２の容量等に応じて定めることが可能であり、使用環境に応じた優先度が予め設定されているものとする。
【００２１】
Ｗｅｂサーバ１３において、優先度情報１４は、受信装置２０から取得可能に保持されている。Ｗｅｂサーバ１３は、受信装置２０から特定の番組を指示する優先度取得要求を受け付けると、この番組に関係する優先度情報１４を読み出し、受信装置２０に提供する。また、Ｗｅｂサーバ１３は、受信装置２０から特定のＷｅｂコンテンツ１２を指定したコンテンツ取得要求を受け付けると、この指示されたＷｅｂコンテンツ１２を読み出し、受信装置２０に提供する。なお、コンテンツ取得要求には、取得の対象となるコンテンツ識別子が含まれているものとする。
【００２２】
一方、受信装置２０は、図１に示すように、チューナ部２１と、分離部２２と、放送コンテンツ処理部２３と、通信部２４と、コンテンツ取得制御部２５と、コンテンツ記憶部２６と、Ｗｅｂブラウザ部２７と、合成部２８とを備えている。また、受信装置２０は、ＣＰＵ、ＲＯＭ、ＲＡＭ等のコンピュータ構成、ユーザ操作を受け付けるリモコン等の操作部及び表示部等を備えている（何れも図示せず）。
【００２３】
チューナ部２１は、図示しないアンテナを用いて、放送局１０から送信された放送信号を受信する。具体的に、チューナ部２１は、ユーザの選局操作によってチャンネル（放送局）が指定されると、この指定されたチャンネルの放送信号を受信する。また、チューナ部２１は、コンテンツ取得制御部２５の制御に応じてチャンネルを切り換え、選局したチャンネルの放送信号を受信する。なお、チューナ部２１は、選局中のチャンネル等を示した選局状態情報をコンテンツ取得制御部２５に出力する。
【００２４】
また、チューナ部２１は、受信した放送信号に対して放送方式に対応した復調処理を行う。例えば、チューナ部２１は、デジタル放送の放送信号についてはＰＳＫ（Phase  Shift  Keying）復調又はＯＦＤＭ（Orthogonal  Frequency  Division  Multiplexing）復調処理等のデジタル復調処理を行う。こうして、チューナ部２１は、放送信号から所望の放送コンテンツを含むストリームを得る。更に、チューナ部２１は、ストリームを復号処理した後、分離部２２に出力する。
【００２５】
分離部２２は、チューナ部２１での復号結果から、放送コンテンツと、電子番組表と、コンテンツ取得用コンテンツとを分離する。分離部２２は、放送コンテンツを放送コンテンツ処理部２３に出力し、電子番組表及びコンテンツ取得用コンテンツをコンテンツ取得制御部２５に出力する。放送コンテンツ処理部２３は、入力された放送コンテンツに対して適宜の信号処理を施して、番組の映像信号及び音声信号を得て、合成部２８に出力する。
【００２６】
通信部２４は、ネットワークＮに接続するための通信インタフェースである。通信部２４は、コンテンツ取得制御部２５の制御の下、ネットワークＮを通じて、各放送局１０のＷｅｂサーバ１３との間でデータ通信を行う。
【００２７】
コンテンツ取得制御部２５は、コンテンツ取得用コンテンツや電子番組表に含まれるアクセス情報に基づき、通信部２４を介してＷｅｂサーバ１３にアクセスすることで、当該Ｗｅｂサーバ１３からＷｅｂコンテンツ１２を取得する。
【００２８】
具体的に、コンテンツ取得制御部２５は、番組の視聴時において、分離部２２から入力されるコンテンツ取得用コンテンツに含まれたアクセス情報に基づき、このアクセス情報で指示されたＷｅｂサーバ１３に優先度取得要求を送信する。ここで、番組の視聴時とは、ユーザの選局操作等によって特定のチャンネルが選局されている状態を意味する。コンテンツ取得制御部２５は、チューナ部２１から通知される選局状態情報が何れかのチャンネルの選局を示す場合に、番組の視聴時と判定する。また、コンテンツ取得制御部２５は、選局状態情報やコンテンツ取得用コンテンツ、電子番組表等に基づいて、現在視聴中の番組を特定し、その番組を識別することが可能な番組名やチャンネル番号等の情報を含んだ番組識別情報を、Ｗｅｂブラウザ部２７に通知する。なお、優先度取得要求には、取得の対象となる番組の番組識別情報が含まれるものとする。
【００２９】
また、コンテンツ取得制御部２５は、番組の非視聴時において、チューナ部２１を制御することで、受信可能なチャンネルの全て又は一部の放送信号をチューナ部２１に受信させる。そして、コンテンツ取得制御部２５は、分離部２２から入力される各番組のアクセス情報に基づき、このアクセス情報で指示されたＷｅｂサーバ１３に優先度取得要求を送信する。ここで、番組の非視聴時とは、例えば、受信装置２０の省電力起動時（スタンバイ時）やＤＶＤ等の外部入力映像の表示時等の、チューナ部２１が放送信号を受信していない状態にあるときを意味する。また、選局するチャンネルは、電子番組表の配信専用のチャンネルであってもよい。
【００３０】
優先度情報１４の取得対象とする番組は、特に問わず、例えば、番組情報にアクセス情報が含まれた全ての番組について優先度情報１４を要求する形態としてもよい。また、特定の時間帯に放送される番組や、予め指定された番組について、優先度情報１４を要求する形態としてもよい。また、ユーザの視聴履歴を記憶・管理し、この視聴履歴から導出されたユーザの関心のある番組について、優先度情報１４を要求する形態としてもよい。この場合、例えば、毎週視聴している番組がある場合に、その番組に関する優先度情報１４を要求することができる。
【００３１】
また、番組の視聴時において、分離部２２から入力された電子番組表を構成する各番組の番組情報に含まれたアドレス情報に基づき、このアクセス情報で指示されたＷｅｂサーバ１３に優先度取得要求を送信する形態としてもよい。
【００３２】
コンテンツ取得制御部２５は、Ｗｅｂサーバ１３から優先度情報１４を取得すると、この優先度情報１４に設定された優先度の高いＷｅｂコンテンツ１２から順次、コンテンツ取得要求をＷｅｂサーバ１３に送信する。そして、コンテンツ取得制御部２５は、Ｗｅｂサーバ１３から提供されるＷｅｂコンテンツ１２を取得し、図１に示すように当該Ｗｅｂコンテンツ１２に対応する番組の番組識別情報（番組Ａ、Ｂ）と関連付けて、コンテンツ記憶部２６に順次記憶する。
【００３３】
なお、コンテンツ取得制御部２５は、優先度情報１４に記述された全てのＷｅｂコンテンツ１２を取得する形態としてもよいし、予め定められた所定個数分（例えば、２個分）のＷｅｂコンテンツ１２を取得する形態としてもよい。また、受信装置２０のハードウェア構成（例えば、通信部２４の通信速度、コンテンツ記憶部２６やＲＡＭ（図示せず）の記憶可能容量）等に応じて、取得するＷｅｂコンテンツ１２の個数を動的に変更する形態としてもよい。
【００３４】
コンテンツ記憶部２６は、半導体メモリ等の記憶装置であって、コンテンツ取得制御部２５が取得したＷｅｂコンテンツ１２の記憶を行うバッファとして機能する。具体的に、コンテンツ記憶部２６は、コンテンツ取得制御部２５が取得したＷｅｂコンテンツ１２を、当該Ｗｅｂコンテンツ１２に対応する番組の番組識別情報と関連付けて記憶する。また、コンテンツ記憶部２６は、Ｗｅｂブラウザ部２７からの要求に応じてＷｅｂコンテンツ１２を読み出し、Ｗｅｂブラウザ部２７に出力する。
【００３５】
Ｗｅｂブラウザ部２７は、コンテンツ取得制御部２５から通知された番組識別情報に対応するＷｅｂコンテンツ１２をコンテンツ記憶部２６から取得する。また、Ｗｅｂブラウザ部２７は、Ｗｅｂコンテンツ１２で規定されたフォームに、出力対象となるコンテンツを配置した表示用のＷｅｂコンテンツ画像を生成し、生成したＷｅｂコンテンツ画像を合成部２８に出力する。
【００３６】
また、Ｗｅｂブラウザ部２７は、コンテンツ取得制御部２５から新たな番組識別情報が通知されると、この通知された新たな番組に対応するＷｅｂコンテンツ画像を合成部２８に出力することで、Ｗｅｂコンテンツ画像を切り替える。なお、Ｗｅｂブラウザ部２７は、Ｗｅｂコンテンツ画像の切り替えに伴い、従前のＷｅｂコンテンツ画像の画面構成（レイアウト）をコンテンツ記憶部２６や図示しないＲＡＭ等に一時記憶し、再度同一の番組識別情報が通知された場合に、この一時記憶した画面構成を用いてＷｅｂコンテンツ画像を生成する。
【００３７】
また、Ｗｅｂブラウザ部２７は、コンテンツ記憶部２６に記憶したＷｅｂコンテンツ１２の各々に含まれる有効期限と、図示しないＲＴＣ（Real  Time  Clock）等の計時装置が計時する現在日時とを比較し、有効期限を超過したＷｅｂコンテンツ１２をコンテンツ記憶部２６から消去する。
【００３８】
合成部２８は、放送コンテンツ処理部２３の出力とＷｅｂブラウザ部２７の出力とを合成して、合成画像を出力する。この合成画像は、図示しない表示部に供給されて表示される。こうして、表示部上には、放送コンテンツによって得られた番組の画像上に、通信コンテンツによって得られた画像が合成されて表示される。
【００３９】
なお、上記した受信装置２０の機能部のうち、分離部２２、放送コンテンツ処理部２３、コンテンツ取得制御部２５、Ｗｅｂブラウザ部２７、合成部２８の何れか又は全てを、ＣＰＵとＲＯＭ等に記憶されたプログラムとの協働によるソフトウェア構成で実現する形態としてもよいし、専用チップ等のハードウェア構成で実現する形態としてもよい。
【００４０】
次に、上記のように構成された受信装置２０の動作について図４〜図８を参照して説明する。
【００４１】
まず、図４を参照して、番組の非視聴時に実行されるコンテンツ取得処理（第１コンテンツ取得処理）の動作について説明する。ここで、図４は、コンテンツ取得制御部２５が実行する第１コンテンツ取得処理を説明するためのフローチャートである。
【００４２】
コンテンツ取得制御部２５は、番組の非視聴時において（ステップＳ１１）、チューナ部２１を制御し所定のチャンネル（例えば、電子番組表配信用チャンネル等）を選局することで、チューナ部２１に放送信号を受信させる（ステップＳ１２）。続いて、コンテンツ取得制御部２５は、分離部２２からコンテンツ取得用コンテンツや電子番組表の入力を受け付けると、これらの情報に含まれたアクセス情報に基づいて、当該アクセス情報で指示されたＷｅｂサーバ１３に優先度取得要求を送信する（ステップＳ１３）。
【００４３】
優先度取得要求に対する応答として、Ｗｅｂサーバ１３から各番組（番組識別情報）についての優先度情報１４を取得（受信）すると（ステップＳ１４）、コンテンツ取得制御部２５は、優先度情報１４に記述されたＷｅｂコンテンツ１２と、コンテンツ記憶部２６に記憶されたＷｅｂコンテンツ１２とを同一の番組単位で比較し（ステップＳ１５）、優先度の上位から所定数分のＷｅｂコンテンツ１２がコンテンツ記憶部２６に記憶されているか否かを判定する（ステップＳ１６）。ここで、判定の指標となる「所定数」は特に問わず、優先度情報１４に記述された全てのＷｅｂコンテンツ１２であってもよい。
【００４４】
ステップＳ１６において、所定数分のＷｅｂコンテンツ１２がコンテンツ記憶部２６に記憶されていると判定した場合には（ステップＳ１６；Ｙｅｓ）、本処理を終了する。また、ステップＳ１６において、コンテンツ記憶部２６に記憶されていない未記憶のＷｅｂコンテンツ１２が存在すると判定した場合（ステップＳ１６；Ｎｏ）、コンテンツ取得制御部２５は、未記憶のＷｅｂコンテンツ１２を指定したコンテンツ取得要求を、優先度情報１４に設定された優先度の順にＷｅｂサーバ１３に送信することで（ステップＳ１７）、当該Ｗｅｂコンテンツ１２を優先度の順に取得する（ステップＳ１８）。
【００４５】
そして、コンテンツ取得制御部２５は、ステップＳ１８で取得したＷｅｂコンテンツ１２を、対応する番組の番組識別情報と関連付けてコンテンツ記憶部２６に順次記憶し（ステップＳ１９）、本処理を終了する。
【００４６】
上記第１コンテンツ取得処理を実行することにより、コンテンツ取得制御部２５は、ユーザが番組を視聴していない時に、コンテンツ取得用コンテンツや電子番組表に登録された各番組のアクセス情報に基づいて、各番組についてのＷｅｂコンテンツ１２を取得する。これにより、ユーザの番組視聴に先がけて各番組のＷｅｂコンテンツ１２を事前に取得（プリロード）することができるため、番組に関連したＷｅｂコンテンツ１２を効率的に取得することが可能となる。
【００４７】
なお、第１コンテンツ取得処理を実行するタイミングは、特に問わず、例えば、所定時間毎（例えば３０分）に実行する形態としてもよい。また、番組の視聴時に分離部２２から入力された電子番組表に基づき、優先度取得要求及びＷｅｂコンテンツ１２の取得を行う場合には、上述した第１コンテンツ取得処理のうち、ステップＳ１３〜Ｓ１９を所定時間毎に実行するものとする。
【００４８】
次に、図５を参照して、番組の視聴時に実行されるコンテンツ取得処理（第２コンテンツ取得処理）の動作について説明する。ここで、図５は、コンテンツ取得制御部２５が実行する第２コンテンツ取得処理を説明するためのフローチャートである。
【００４９】
コンテンツ取得制御部２５は、番組の視聴時において（ステップＳ２１）、この視聴中の番組の番組識別情報をＷｅｂブラウザ部２７に通知する（ステップＳ２２）。続いて、コンテンツ取得制御部２５は、分離部２２からコンテンツ取得用コンテンツの入力を受け付けると、このコンテンツ取得用コンテンツに含まれたアクセス情報に基づき、当該アクセス情報で指示されたＷｅｂサーバ１３に優先度取得要求を送信する（ステップＳ２３）。
【００５０】
優先度取得要求に対する応答として、Ｗｅｂサーバ１３から視聴中の番組（番組識別情報）についての優先度情報１４を取得（受信）すると（ステップＳ２４）、コンテンツ取得制御部２５は、視聴中の番組について、優先度情報１４に記述されたＷｅｂコンテンツ１２と、コンテンツ記憶部２６に記憶されたＷｅｂコンテンツ１２とを比較し（ステップＳ２５）、優先度情報１４に記述された全てのＷｅｂコンテンツ１２がコンテンツ記憶部２６に記憶されているか否かを判定する（ステップＳ２６）。ここで、優先度情報１４に記述された全てのＷｅｂコンテンツ１２が、コンテンツ記憶部２６に記憶されていると判定した場合（ステップＳ２６；Ｙｅｓ）、本処理を終了する。
【００５１】
また、ステップＳ２６において、コンテンツ記憶部２６に記憶されていない未記憶のＷｅｂコンテンツ１２が存在すると判定した場合（ステップＳ２６；Ｎｏ）、コンテンツ取得制御部２５は、未記憶のＷｅｂコンテンツ１２を指定したコンテンツ取得要求を、優先度情報１４に設定された優先度の順にＷｅｂサーバ１３に送信することで（ステップＳ２７）、当該Ｗｅｂコンテンツ１２を優先度の順に取得する（ステップＳ２８）。
【００５２】
そして、コンテンツ取得制御部２５は、ステップＳ２８で取得したＷｅｂコンテンツ１２を、対応する番組の番組識別情報と関連付けてコンテンツ記憶部２６に順次記憶し（ステップＳ２９）、本処理を終了する。
【００５３】
Ｗｅｂブラウザ部２７では、ステップＳ２２で通知された番組識別情報に関するＷｅｂコンテンツ１２を用いてＷｅｂコンテンツ画像を生成し、生成したＷｅｂコンテンツ画像を合成部２８に出力する。そして、合成部２８の処理により放送コンテンツ１１と、Ｗｅｂコンテンツ画像とが合成され、合成画像として図示しない表示部に供給される。これにより、表示部上には、放送コンテンツ１１によって得られた放送コンテンツ１１の画像上に、Ｗｅｂブラウザ部２７によって生成されたＷｅｂコンテンツ画像が表示されることになる。
【００５４】
なお、第２コンテンツ取得処理を実行するタイミングは、特に問わず、例えば、常時実行する形態としてもよいし、前回の実行から所定時間（例えば１分）が経過する度に実行する形態としてもよい。また、コンテンツ取得用コンテンツに含まれたアクセス情報が変化したタイミングで実行する形態としてもよい。なお、ステップＳ２２での番組識別情報の通知は、チャンネルの切り替え等によりアクセス情報が変化した場合や、新たなＷｅｂコンテンツ１２を取得した場合に行う形態としてもよい。
【００５５】
ここで、図６−１、図６−２を参照して、第１コンテンツ取得処理及び第２コンテンツ取得処理に伴う合成画像の表示動作を説明する。図６−１、図６−２は、表示部上に表示された合成画像の一例を示す図である。図６−１、図６−２では、Ｗｅｂコンテンツ１２ａ、１２ｂの順に優先度が低下する例を想定している。また、Ｗｅｂコンテンツ１２ａが静止画コンテンツであり、Ｗｅｂコンテンツ１２ｂが動画コンテンツであることを想定している。
【００５６】
上述した第１コンテンツ取得処理において、Ｗｅｂコンテンツ１２ａ、１２ｂのうち、Ｗｅｂコンテンツ１２ａが取得（プリロード）された状態にあるとする。その後、ユーザのチャンネル操作により、Ｗｅｂコンテンツ１２ａに係る番組のチャンネルが選局されると、コンテンツ取得制御部２５は、上述した第２コンテンツ取得処理において、残りのＷｅｂコンテンツ１２ｂの取得を開始する。
【００５７】
このとき、Ｗｅｂコンテンツ１２ａが、Ｗｅｂコンテンツ１２ｂと同じ表示位置に表示されるよう設定されていたとすると、Ｗｅｂコンテンツ１２ｂのダウンロードが完了するまでの間、図６−１に示すように、Ｗｅｂコンテンツ１２ａが、放送コンテンツ１１ａの画像上に合成されて表示される。そして、Ｗｅｂコンテンツ１２ｂのダウンロードが完了すると、図６−２に示すように、従前までＷｅｂコンテンツ１２ａが表示されていた領域に、Ｗｅｂコンテンツ１２ｂが表示されることになる。
【００５８】
このように、本実施形態の受信装置２０では、第１コンテンツ取得処理でコンテンツ記憶部２６に記憶された優先度の高いＷｅｂコンテンツ１２を用いて、Ｗｅｂコンテンツ１２（Ｗｅｂコンテンツ画像）を表示することができるため、チャンネルの切り替え時において迅速に表示させることができる。また、Ｗｅｂコンテンツ１２（Ｗｅｂコンテンツ画像）が表示される背後で、第１コンテンツ取得処理で取得の対象から外れた優先度の低いＷｅｂコンテンツ１２の取得を進めることができるため、Ｗｅｂコンテンツ１２の取得を効率的に行うことができる。
【００５９】
次に、図７を参照して、Ｗｅｂブラウザ部２７が行うＷｅｂコンテンツ画像生成処理の動作を説明する。ここで、図７は、Ｗｅｂブラウザ部２７が実行するＷｅｂコンテンツ画像生成処理の手順を説明するためのフローチャートである。なお、後述するステップＳ３３、Ｓ３４は、Ｗｅｂブラウザ部２７と、図２に示したメタデータ（スクリプト）との協働により行われる処理である。
【００６０】
まず、Ｗｅｂブラウザ部２７は、コンテンツ取得制御部２５から番組識別情報が通知されるまで待機する（ステップＳ３１；Ｎｏ）。ここで、コンテンツ取得制御部２５から特定の番組識別情報が通知されると（ステップＳ３１；Ｙｅｓ）、Ｗｅｂブラウザ部２７は、この通知の直前までに合成部２８に出力していたＷｅｂコンテンツ画像の画面構成を、その番組の番組識別情報と関連付けてコンテンツ記憶部２６や図示しないＲＡＭ等の記憶媒体に保持する（ステップＳ３２）。
【００６１】
続いて、Ｗｅｂブラウザ部２７は、ステップＳ３１で通知された番組識別情報に対応するＷｅｂコンテンツ１２を、コンテンツ記憶部２６に記憶されたタイムスタンプの順、つまり優先度の順に読み出す（ステップＳ３３）。この時、Ｗｅｂブラウザ部２７は、Ｗｅｂコンテンツ１２を読み出す毎に、当該Ｗｅｂコンテンツ１２に含まれた有効期限と、ＲＴＣ等の計時装置で計時される現在日時とを比較し（ステップＳ３４）、現在日時が有効期限内か否かを判定する（ステップＳ３５）。ここで、有効期限内と判定した場合には（ステップＳ３５；Ｙｅｓ）、ステップＳ３７に移行する。
【００６２】
また、ステップＳ３５において、現在日時が有効期限を超えていると判定した場合（ステップＳ３５；Ｎｏ）、Ｗｅｂブラウザ部２７は、読み出し対象となったＷｅｂコンテンツ１２をコンテンツ記憶部２６から消去した後（ステップＳ３６）、ステップＳ３７に移行する。なお、図２で説明したように、有効期限を超えた場合に、新たなＷｅｂコンテンツ１２の取得先が指示されている場合には、コンテンツ取得制御部２５を介してこの取得先から新たなＷｅｂコンテンツ１２を取得するものとする。
【００６３】
続いて、Ｗｅｂブラウザ部２７は、ステップＳ３１で通知された番組識別情報に対応する画面構成が、記憶媒体（図示せず）に保持されているか否かを判定する（ステップＳ３７）。ここで、通知された番組識別情報に対応する画面構成が保持されていると判定した場合（ステップＳ３７；Ｙｅｓ）、Ｗｅｂブラウザ部２７は、この画面構成に基づいて、コンテンツ記憶部２６から読み出したＷｅｂコンテンツ１２のＷｅｂコンテンツ画像を生成し（ステップＳ３８）、ステップＳ４０に移行する。なお、Ｗｅｂコンテンツ１２の削除により、従前の画面構成を復元することができない場合には、読み出したＷｅｂコンテンツ１２からＷｅｂコンテンツ画像を生成し直すものとする。
【００６４】
また、ステップＳ３７において、通知された番組識別情報に対応する画面構成が保持されていないと判定した場合（ステップＳ３７；Ｎｏ）、Ｗｅｂブラウザ部２７は、コンテンツ記憶部２６から読み出したＷｅｂコンテンツ１２を用いてＷｅｂコンテンツ画像を生成し（ステップＳ３９）、ステップＳ４０に移行する。
【００６５】
そして、Ｗｅｂブラウザ部２７は、ステップＳ３８又はＳ３９で生成したＷｅｂコンテンツ画像を合成部２８に出力し（ステップＳ４０）、ステップＳ３１に再び戻る。
【００６６】
これにより、合成部２８では、放送コンテンツ１１と、Ｗｅｂコンテンツ画像とを合成画像として合成し図示しない表示部に供給するため、放送コンテンツ１１によって得られた番組の画像上に、コンテンツ記憶部２６によって得られた画像が合成されて表示されることになる。
【００６７】
なお、Ｗｅｂコンテンツ１２の表示、つまりＷｅｂコンテンツ画像の出力は、リモコン等の操作部（図示せず）からの指示に応じて行うものとする。また、表示中のＷｅｂコンテンツ１２に対し操作が行われた場合には、Ｗｅｂブラウザ部２７は、この操作の指示内容に応じた処理（例えば、サブウィンドウの表示や動画の再生等）を行うものとする。
【００６８】
図８は、上述したＷｅｂコンテンツ画像生成処理の動作を説明するための図である。まず、図８（ａ）に示すようにチャンネルＡの番組（放送コンテンツ１１ｂ）視聴時において、ユーザの操作によりこの番組に関連するＷｅｂコンテンツ１２の表示が指示されると、図８（ｂ）に示すように、放送コンテンツ１１ｂの画像上にＷｅｂコンテンツ１２（Ｗｅｂコンテンツ１２ｃ）が表示される。この時、Ｗｅｂコンテンツ１２ｃが操作され、サブウィンドウの表示が指示されると、図８（ｃ）に示すように、Ｗｅｂコンテンツ１２ｃのサブウィンドウとなるＷｅｂコンテンツ１２ｄが、放送コンテンツ１１ｂの画像上に表示される。
【００６９】
続いて、Ｗｅｂコンテンツ１２ｄが有するメニューの中から、動画コンテンツであるＷｅｂコンテンツ１２ｅの再生が指示されると、図８（ｄ）に示すように、放送コンテンツ１１ａの画像上からＷｅｂコンテンツ１２ｃ及びＷｅｂコンテンツ１２ｄが消去され、Ｗｅｂコンテンツ１２ｅの再生が開始される。
【００７０】
ここで、ユーザの操作により、チャンネルＡからチャンネルＢに切り替えが指示されると、図８（ｅ）に示すように、チャンネルＢの番組（放送コンテンツ１１ｃ）の画像に表示が切り替えられる。このとき、Ｗｅｂブラウザ部２７では、図８（ｄ）に示したＷｅｂコンテンツ１２ｅの画面構成を、チャンネルＡの番組識別情報と関連付けて保持する。
【００７１】
そして、ユーザの操作により、チャンネルＢからチャンネルＡに切り替えが指示されると、Ｗｅｂブラウザ部２７では、チャンネルＡの番組識別情報に関連付けて保持した画面構成を用いてＷｅｂコンテンツ画像を生成することで、図８（ｄ）に示したＷｅｂコンテンツ１２ｅの画面構成を再現する。なお、動画コンテンツであるＷｅｂコンテンツ１２ｅの再生は、チャンネルＢへの切り替え時においても継続して進める形態としてもよいし、チャンネルＢへの切り替えに伴い再生を一時停止し、チャンネルＡへの復帰時に伴い一時停止を解除する形態としてもよい。
【００７２】
このように、Ｗｅｂブラウザ部２７では、チャンネルの切り替え時において、切り替え前のＷｅｂコンテンツ画像の画面構成を保持しておき、このチャンネルが再び選択された場合に、保持した画面構成を用いてＷｅｂコンテンツ画像を生成する。これにより、チャンネル切り替え前までに視聴していた画面構成で、チャンネル復帰後も視聴することができるため、ユーザの利便性を向上させることができる。例えば、図８の例の場合、図８（ｄ）に示すＷｅｂコンテンツ１２ｅの表示のために、図８（ａ）から図８（ｃ）に示す工程が必要となるため、チャンネル切り替え後もこれらの工程を行うことなく、Ｗｅｂコンテンツ１２ｅを視聴することができる。
【００７３】
なお、本実施形態では、Ｗｅｂコンテンツ１２の読み出し時に有効期限を確認する形態としたが、これに限らず、任意のタイミングで行ってもよく、またコンテンツ記憶部２６に記憶された全てのＷｅｂコンテンツ１２を有効期限の確認対象としてもよい。
【００７４】
以上のように、本実施形態によれば、番組の非視聴時や番組視聴中の背後で、放送中又は放送予定の各番組のＷｅｂコンテンツ１２を取得するため、Ｗｅｂコンテンツ１２の取得を、より効率的に行うことができる。また、取得したＷｅｂコンテンツ１２を、対応する番組の番組識別情報と関連付けてコンテンツ記憶部２６に記憶しておくことで、ユーザが特定の番組を視聴する際に、記憶されたＷｅｂコンテンツ１２を読み出して、視聴対象の番組の放送コンテンツとともに出力（表示）することができるため、Ｗｅｂコンテンツ１２の表示を迅速に行うことができる。また、コンテンツ記憶部２６に記憶されたＷｅｂコンテンツ１２の有効期限が切れた場合に、当該Ｗｅｂコンテンツ１２をコンテンツ記憶部２６から消去するため、コンテンツ記憶部２６の容量を有効に活用することができる。
【００７５】
［第２の実施形態］
次に、第２の実施形態について説明する。なお、上述した第１の実施形態と同様の構成要素については、同一の符号を付与し説明を省略する。第１の実施形態では、単一のチューナ部２１を用いてＷｅｂコンテンツ１２を取得する形態について説明した。これに対し、本実施形態は、複数のチューナ部２１を用いてＷｅｂコンテンツ１２を取得する形態を説明する。
【００７６】
図９は、第２の実施形態に係るコンテンツ受信装置である受信装置２０ａの構成を示す図である。受信装置２０ａは、複数のチューナ部２１と、分離部２２と、放送コンテンツ処理部２３と、通信部２４と、コンテンツ取得制御部２５ａと、コンテンツ記憶部２６と、Ｗｅｂブラウザ部２７と、合成部２８とを備える。なお、図９では、チューナ部２１を２個備えた構成例を示しているが、これに限らず、３個以上備える構成としてもよい。
【００７７】
複数のチューナ部２１のうち、何れか一のチューナ部２１（以下、主チューナ部２１ａという）は、ユーザの選局操作によって指定されたチャンネル（放送局）の放送信号を選局する。また、主チューナ部２１ａによるチャンネルの選局時、この主チューナ部２１ａ以外の他のチューナ部２１（以下、副チューナ部２１ｂという）は、合成部２８から出力されるチェンネルの放送信号を受信していない状態にある。なお、チューナ部２１（主チューナ部２１ａ、副チューナ部２１ｂ）の各々は、自己のチューナ部２１の選局状態情報をコンテンツ取得制御部２５ａに通知するものとする。
【００７８】
コンテンツ取得制御部２５ａは、コンテンツ取得用コンテンツに含まれるアクセス情報に基づき、Ｗｅｂコンテンツ１２の取得先となるＷｅｂサーバ１３に通信部２４を介してアクセスすることで、当該Ｗｅｂサーバ１３からＷｅｂコンテンツ１２を取得する。
【００７９】
具体的に、コンテンツ取得制御部２５ａは、主チューナ部２１ａで受信された放送信号について、当該放送信号の分離後のコンテンツ取得用コンテンツに含まれたアクセス情報に基づき、このアクセス情報で指示されたＷｅｂサーバ１３に優先度取得要求を送信する。また、コンテンツ取得制御部２５ａは、選局状態情報やコンテンツ取得用コンテンツに含まれる情報等に基づいて視聴中の番組を特定し、その番組の番組識別情報をＷｅｂブラウザ部２７に通知する。
【００８０】
また、コンテンツ取得制御部２５ａは、副チューナ部２１ｂが何れの放送信号も受信していないときに、副チューナ部２１ｂを制御することで、主チューナ部２１ａで選局中のチャンネル（番組）以外の他のチャンネル（裏番組）の放送信号を受信させる。そして、コンテンツ取得制御部２５ａは、副チューナ部２１ｂで受信された放送信号について、この放送信号の分離後のコンテンツ取得用コンテンツや電子番組表に基づき、これらの情報に含まれるアクセス情報で指示されたＷｅｂサーバ１３に優先度取得要求を送信する。
【００８１】
なお、副チューナ部２１ｂに選局させるチャンネルは特に問わず、主チューナ部２１ａで選局中のチャンネル以外の一部又は全チャンネルを順次選局させる形態としてもよい。また、ユーザの視聴履歴に基づいて、ユーザが視聴する可能性のある番組を決定し、この番組が放送されるチャンネルを副チューナ部２１ｂに選局させる形態としてもよい。また、副チューナ部２１ｂが複数存在する場合には、各副チューナ部２１ｂにおいて異なるチャンネルを受信させるものとする。また、電子番組表の配信専用のチャンネルを選局する形態としてもよい。
【００８２】
コンテンツ取得制御部２５ａは、Ｗｅｂサーバ１３から優先度情報１４を取得すると、この優先度情報１４に設定された優先度の高いＷｅｂコンテンツ１２から、コンテンツ取得要求をＷｅｂサーバ１３に送信する。そして、コンテンツ取得制御部２５ａは、Ｗｅｂサーバ１３から提供されたＷｅｂコンテンツ１２を取得し、当該Ｗｅｂコンテンツ１２に対応する番組の番組識別情報と関連付け、コンテンツ記憶部２６に順次記憶する。
【００８３】
次に、上記のように構成された受信装置２０ａの動作について図１０を参照して説明する。ここで、図１０は、コンテンツ取得制御部２５ａが実行するコンテンツ取得処理（第３コンテンツ取得処理）を説明するためのフローチャートである。
【００８４】
なお、本処理の前提として、主チューナ部２１ａにおいて特定のチャンネルが選局され、主チューナ部２１ａで受信された放送信号に基づき、コンテンツ取得制御部２５ａが、上述した第２コンテンツ取得処理と同様に、Ｗｅｂコンテンツ１２の取得を行っているものとする。
【００８５】
コンテンツ取得制御部２５ａは、副チューナ部２１ｂが何れの放送信号も受信していないときに、この副チューナ部２１ｂを制御し、主チューナ部２１ａで選局中のチャンネル以外の他のチャンネルを受信させる（ステップＳ５１）。続いて、コンテンツ取得制御部２５ａは、分離部２２を経由して入力されるコンテンツ取得用コンテンツや電子番組表に含まれたアクセス情報に基づき、このアクセス情報で指示されたＷｅｂサーバ１３に優先度取得要求を送信する（ステップＳ５２）。
【００８６】
コンテンツ取得制御部２５ａは、Ｗｅｂサーバ１３から優先度情報１４を取得すると（ステップＳ５３）、優先度情報１４に記述されたＷｅｂコンテンツ１２と、コンテンツ記憶部２６に記憶されたＷｅｂコンテンツ１２とを同一の番組単位で比較し、優先度の上位所定数分のＷｅｂコンテンツ１２がコンテンツ記憶部２６に記憶されているか否かを判定する（ステップＳ５４）。ここで、所定数分のＷｅｂコンテンツ１２がコンテンツ記憶部２６に記憶されていると判定した場合には（ステップＳ５５；Ｙｅｓ）、本処理を終了する。
【００８７】
また、ステップＳ５５において、コンテンツ記憶部２６に記憶されていない未記憶のＷｅｂコンテンツ１２が存在すると判定した場合（ステップＳ５５；Ｎｏ）、コンテンツ取得制御部２５ａは、未記憶のＷｅｂコンテンツ１２を指定したコンテンツ取得要求を、優先度情報１４に設定された優先度の順にＷｅｂサーバ１３に送信することで（ステップＳ５６）、当該Ｗｅｂコンテンツ１２を優先度の順に取得する（ステップＳ５７）。そして、コンテンツ取得制御部２５ａは、ステップＳ５７で取得したＷｅｂコンテンツ１２を、当該Ｗｅｂコンテンツ１２に対応する番組の番組識別情報と関連付けてコンテンツ記憶部２６に記憶し（ステップＳ５８）、本処理を終了する。
【００８８】
上記第３コンテンツ取得処理により、コンテンツ取得制御部２５ａは、ユーザが視聴中の番組以外の他の番組のＷｅｂコンテンツ１２を取得する。これにより、ユーザの番組視聴に先がけて、ユーザが視聴する可能性のある番組のＷｅｂコンテンツ１２を事前に取得（プリロード）することができる。
【００８９】
以上のように、本実施形態によれば、複数設けられたチューナ部２１のうち、放送信号を受信していない副チューナ部２１ｂを用いて、放送中又は放送予定の各番組に関連するＷｅｂコンテンツ１２を取得するため、Ｗｅｂコンテンツ１２の取得を、より効率的に行うことができる。また、取得したＷｅｂコンテンツ１２を、対応する番組の番組識別情報と関連付けてコンテンツ記憶部２６に記憶しておくことで、ユーザが特定の番組を視聴する際に、記憶されたＷｅｂコンテンツ１２を読み出して、視聴対象の番組の放送コンテンツとともに出力（表示）することができるため、Ｗｅｂコンテンツ１２の表示を迅速に行うことができる。
【００９０】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００９１】
例えば、上記実施形態では、放送局１０がＷｅｂサーバ１３を内蔵する形態としたが、これに限らず、放送局１０の外部にＷｅｂサーバ１３を備える形態としてもよい。
【００９２】
また、上記実施形態では、放送信号から電子番組表を取得する構成としたが、これに限らず、インターネット等で提供されている電子番組表を、通信部２４を介して取得する構成としてもよい。
【００９３】
また、上記実施形態では、受信装置２０（２０ａ）は、優先度情報１４をＷｅｂサーバ１３から取得する形態としたが、これに限らず、Ｗｅｂサーバ１３に保持された優先度情報１４を参照しながら、Ｗｅｂコンテンツ１２を取得する形態としてもよい。
【符号の説明】
【００９４】
１０…放送局、１１…放送コンテンツ、１２…Ｗｅｂコンテンツ、１３…Ｗｅｂサーバ、１４…優先度情報、２０，２０ａ…受信装置、２１…チューナ部、２２…分離部、２３…放送コンテンツ処理部、２４…通信部、２５，２５ａ…コンテンツ取得制御部、２６…コンテンツ記憶部、２７…Ｗｅｂブラウザ部、２８…合成部、３０…電波塔、Ｎ…ネットワーク。
【図１】
2013085153.tif 000003
【図２】
2013085153.tif 000004
【図３】
2013085153.tif 000005
【図４】
2013085153.tif 000006
【図５】
2013085153.tif 000007
【図６−１】
2013085153.tif 000008
【図６−２】
2013085153.tif 000009
【図７】
2013085153.tif 000010
【図８】
2013085153.tif 000011
【図９】
2013085153.tif 000012
【図１０】
2013085153.tif 000013